(57)【要約】【課題】全体構造の強度を一層高めること、ボトルのホールドを一層確実にし、衝撃的な力が掛かったときでもホールドを維持できるようにすることを課題とする。【解決手段】主片１１と、この主片に折りたたみ線Ｃ１を介して連続して設けた上下片１２と、上記主片に折りたたみ線Ｃ３を介して連続して設けた左右片１４と、この左右片に折りたたみ線Ｃ４を介して連続して設けた蓋フラップ１５と、上記主片にボトルＢの首部に引っ掛かる切り起こし片２１ｆ，２２ｆを形成し、上記上下片に折りたたみ線Ｃ２を介して補助片１３を連続して設け、この補助片の上記切り起こし片に対応する位置に、上記ボトルの首部に引っ掛かる馬蹄形の貫通孔２４を設け、上記蓋フラップ１５に折りたたみ線Ｃ５を介してサイドフラップ１６を連続して設けたブランク２０を箱起こしして上下片とサイドフラップとの対向面を接着したものである。【選択図】図１
2006282210.tif 000002
【特許請求の範囲】
【請求項１】
主片（１１）と、この主片に折りたたみ線を介して連続して設けた上下片（１２）と、上記主片に折りたたみ線を介して連続して設けた左右片（１４）と、この左右片に折りたたみ線を介して連続して設けた蓋フラップ（１５）とからなる上記主片にボトル（Ｂ）の首部に引っ掛かる切り起こし片（２１ｆ，２２ｆ）を形成した簡易包装体（１０）において、上記上下片に折りたたみ線を介して補助片（１３）を連続して設け、この補助片の上記切り起こし片に対応する位置に上記ボトルの首部に引っ掛かる貫通孔（２４）を設けたことを特徴とする簡易包装体。
【請求項２】
上記貫通孔を馬蹄形とし、馬蹄形の直線部分がボトルの首部に引っ掛かるようにしたことを特徴とする請求項１に記載の簡易包装体。
【請求項３】
上記切り起こし片は、主片に凹凸形の切り込みを入れ、この切り込みの両端から連続してハ字状と臼状の切り込みを入れ、折りたたみ線を介して主片あるいは上下片に繋がり、上記蓋フラップの上下に折りたたみ線を介してサイドフラップ（１６）を連続して設け、このサイドフラップと上記上下片が対向する面を接着させたことを特徴とする請求項１または２に記載の簡易包装体。
【請求項４】
主片（１１）と、この主片に折りたたみ線を介して連続して設けた上下片（１２）と、上記主片に折りたたみ線を介して連続して設けた左右片（１４）とからなる上記主片にボトル（Ｂ）の首部に引っ掛かる切り起こし片（２１ｆ，２２ｆ）を形成した簡易包装体（１０）において、上記上下片に折りたたみ線を介して補助片（１３）を連続して設け、この補助片の上記切り起こし片に対応する位置に上記ボトルの首部に引っ掛かる貫通孔（２４）を設け、上下片の両サイドには、カバーフラップ（２８）を折りたたみ線（Ｃ６）を介して連続して設け、このカバーフラップは上下片に折りたたみ線を介して繋がり、カバーフラップとその基部（２８ａ）とは折りたたみ線（Ｃ７）を介して繋がり、左右片とカバーフラップの基部との境には切り込み（１９）を設け、カバーフラップと補助片（１３）との間には、補助片側には食い込む連続した切り込み（３０）が入れられ、カバーフラップの折りかえし片（２８ｂ）は折りたたみ線（Ｃ８）でもって折りかえされて、上下片と折りかえし片との対向面およびカバーフラップの基部と左右片との対向面を接着させたことを特徴とする簡易包装体。
【請求項５】
上記貫通孔を馬蹄形とし、馬蹄形の直線部分がボトルの首部に引っ掛かるようにしたことを特徴とする請求項４に記載の簡易包装体。
【発明の詳細な説明】
【技術分野】
【０００１】
この発明はペットボトル等（以下、単に「ボトル」という）を複数個纏めて、その首部をホールドするようにした簡易包装体に関する。
【背景技術】
【０００２】
ボトルなどに詰め込まれた商品の包装において、ボトルの本体部分を露出状態にし、首部だけを纏めて把持・包装する簡易包装体として特許文献１がある。
【０００３】
【特許文献１】特表２００２-５０７９５４号公報（要約および図４）
【０００４】
上記特許文献１に係る先行技術はその要約書を引用すると、「ボトルなどの複数の容器に適用される頂部把持式カートンを形成するためのカートンブランク（１０）およびカートンである。カートンは、筒状構造をなすとともに、少なくとも一つの折曲げ自在な保持タブ（３０，３２）を有する複数の開口（３４，６４）を持った第１パネル（１６）を備え、保持タブは、操作することによって各開口に存在する容器（Ｂ）の半径方向へ突出する部分（Ｐ１，Ｐ２）の下側に係合するようになされ、保持タブの一つには、隣接する一対の容器どうしの間に配置されて、それら容器の相対移動を最小化するための突張タブが接続され、この突張タブの自由端縁は、操作することにより隣接する容器の半径方向へ突出した部分の下側に係合する」ようにしたものである。
【発明の開示】
【発明が解決しようとする課題】
【０００５】
上記先行技術は、筒状構造にすることによって強度を高めていること、複数の保持タブと複数の開口によってボトルを所定の間隔でホールドする効果が得られるとしているが、上記保持タブだけでは、強度的に不十分で特に衝撃的な力が保持タブに掛かると保持タブが座屈して機能を果たし得なくなる問題や、筒状構造では筒状の長さ方向に対しては強度を高める効果が得られるが、横からの外力に弱い問題がある。特にこのカートンで簡易包装したボトルを段積みするときは、上記強度不足が大きな障害となる。
【０００６】
上記先行技術の問題に鑑みこの発明は、全体構造の強度を一層高めること、ボトルのホールドを一層確実にし、衝撃的な力が掛かったときでもホールドを維持できるようにすることを課題とする。
【課題を解決するための手段】
【０００７】
上記課題を解決するためにこの発明は、主片と、この主片に折りたたみ線を介して連続して設けた上下片と、上記主片に折りたたみ線を介して連続して設けた左右片と、この左右片に折りたたみ線を介して連続して設けた蓋フラップと、上記主片にボトルの首部に引っ掛かる切り起こし片を形成した簡易包装体において、上記上下片に折りたたみ線を介して補助片を連続して設け、この補助片の上記切り起こし片に対応する位置に上記ボトルの首部に引っ掛かる貫通孔を設け、上記貫通孔を馬蹄形とし、馬蹄形の直線部分がボトルの首部に引っ掛かるようにし、上記切り起こし片は、主片に凹凸形の切り込みを入れ、この切り込みの両端から連続してハ字状と臼状の切り込みを入れ、折りたたみ線を介して主片あるいは上下片に繋がり、上記蓋フラップの上下に折りたたみ線を介してサイドフラップを連続して設け、このサイドフラップと上記上下片が対向する面を接着させたものである。
【０００８】
また、主片と、この主片に折りたたみ線を介して連続して設けた上下片と、上記主片に折りたたみ線を介して連続して設けた左右片と、上記主片にボトルの首部に引っ掛かる切り起こし片を形成した簡易包装体において、上記上下片に折りたたみ線を介して補助片を連続して設け、この補助片の上記切り起こし片に対応する位置に上記ボトルの首部に引っ掛かる貫通孔を設け、上下片の両サイドには、カバーフラップを折りたたみ線を介して連続して設け、このカバーフラップは上下片に折りたたみ線を介して繋がり、カバーフラップとその基部とは折りたたみ線を介して繋がり、左右片とカバーフラップの基部との境には切り込みを設け、カバーフラップと補助片との間には、補助片側には食い込む連続した切り込みが入れられ、カバーフラップの折りかえし片は折りたたみ線でもって折りかえされて、上下片と折りかえし片との対向面およびカバーフラップの基部と左右片との対向面を接着させ、上記貫通孔を馬蹄形とし、馬蹄形の直線部分がボトルの首部に引っ掛かるようにしたものである。
【発明の効果】
【０００９】
上記の如く構成するこの発明によれば、主片に設けた切り起こし片と補助片に設けた貫通孔によりボトルの首部を二重にホールドすることとなって衝撃的な力が掛かったときでも十分耐えることができ、凹凸形の切り込みを入れて切り起こし片とすることにより包装ボトルの位置決めがされ、簡易包装体の前後・左右（側面）を上下片と左右片とで蓋をし、上面を蓋フラップで覆い、サイドフラップと上下片との対向面、又はカバーフラップの基部と左右片との対向面および折りかえし片と上下片との対向面をそれぞれ接着することにより、どちらの方向からの力にも耐えることができるようになり、段積み状態を安定させることができる。
【発明を実施するための最良の形態】
【００１０】
次にこの発明の実施の形態を、図面を参照しながら説明する。
【実施例１】
【００１１】
図１は第１実施例で、（ａ）は斜視図、（ｂ）は展開図である。展開図において、ボトルＢの首部Ｓ（図２参照）を保持する主片１１、主片１１の上下に上下片１２が折りたたみ線Ｃ１を介して連続して設けられ、さらに上下片１２の上下に補助片１３が折りたたみ線Ｃ２を介して連続して設けられ、上記主片１１の両サイドに同じ幅の左右片１４が折りたたみ線Ｃ３を介して連続して設けられ、この左右片１４に続いて、同じ幅の蓋フラップ１５が折りたたみ線Ｃ４を介して連続して設けられ、この蓋フラップ１５の上下に同幅でサイドフラップ１６が折りたたみ線Ｃ５を介して連続して設けられ、上記上下片１２の両サイドに片台形の内フラップ１７が折りたたみ線Ｃ６を介して連続して設けられている。
【００１２】
なお、片台形の内フラップ１７の傾斜角度は、簡易包装体１０を組み立てた状態での補助片１３の傾斜角度に合わせて補強効果がでるようになっている。
【００１３】
主片１１には上下二列で、左右等間隔の凹凸形の切り込み１８を設け、その切り込み１８の両端から連続してハ字状切り込み２１と臼状切り込み２２を向かい合うように入れて、切り起こし片２１ｆ，２２ｆとし、切り起こし片２１ｆは折りたたみ線を介して主片１１と、切り起こし片２２ｆは折りたたみ線Ｃ１を介して上下片１２と繋がっている。
【００１４】
補助片１３には、上記凹凸形の切り込み１８の位置に対応してボトルＢの首部Ｓの環状リブ２３に引っ掛かる馬蹄形状の貫通孔２４が開けられ、この馬蹄形状の貫通孔２４の中間位置で補助片１３の端縁に半円形の刳り抜き２６が向かい合うように設けられている。
【００１５】
このように展開した状態で裁断したブランク２０を折りたたみ線Ｃ１・・・Ｃ６に沿って箱起こしをすると図１（ａ）のような簡易包装体１０となり、この簡易包装体１０を、二列に三本宛、六本並べたボトルＢの上から押しつけると、図２（ｂ）のようにボトルＢの首部環状リブ２３に、主片１１の切り起こし片２１ｆ，２２ｆがハ字状に開いてボトルＢの首部環状リブ２３の下側に引っ掛かり、さらに補助片１３の馬蹄形の貫通孔２４の直線部分が同じくボトルＢの首部環状リブ２３の下側に引っ掛かって簡易包装体１０とボトルＢとが一体に包装される。なお、上記貫通孔２４を馬蹄形としたが円形、長円形あるいは角形の貫通孔とすることもできる。
【００１６】
左右片１４は簡易包装体１０の両側面を覆い、蓋フラップ１５は簡易包装体１０の上部両端の１／３程度を覆い、サイドフラップ１６は上下片１２の両端１／３に被る。なお、サイドフラップ１６と上下片１２とが対向する面には両面接着テープ２５を配して接着する。
【００１７】
このようにボトルＢの首部環状リブ２３に本発明の簡易包装体１０を装着すると、主片１１に設けた切り起こし片２１ｆ，２２ｆが環状リブ２３の下側に引っ掛かり、さらに、補助片１３の馬蹄形の貫通孔２４の直線部分も首部環状リブ２３の下側に引っ掛って、簡易包装体１０を持ち上げると、ベクトル分力がボトルＢの首部を締め付ける方向に働き、ボトルＢを確実に把持する。
【００１８】
また、簡易包装体１０の両端を左右片１４が覆い、上面を蓋フラップ１５が覆い、サイドフラップ１６が上下片１２の両端の１／３に被り接着することにより簡易包装体１０に対し各方向から外力が加わったときでも変形せず十分な強度を維持し、図３に示すように安心して段積みすることができる。なお、補助片１３の端縁に設けた半円形の刳り抜き２６（向き合って円形の）は簡易包装体１０を開梱するとき、この刳り抜き２６により形成される円孔に指を差し込み、補助片１３を引き上げるようにしたものである。
【実施例２】
【００１９】
図４は第２実施例で第１実施例とは、蓋フラップ１５を長くして、簡易包装体１０の上面全体を覆うようにし、その端縁に半円形の刳り抜き２７を向き合わせて設けたもので、その他の部分は第１実施例と同様であるから説明を省略する。なお、符号は、実施例１と同じである。
【００２０】
この実施例では、簡易包装体の上面全体を覆うので強度が大きくなり包装商品にほこりがかからなくなって安心して段積みすることができる。
【実施例３】
【００２１】
図５は第３実施例で、（ａ）は斜視図、（ｂ）は展開図である。展開図において、ボトルＢの首部を保持する主片１１、主片１１の上下に上下片１２が折りたたみ線Ｃ１を介して連続して設けられ、さらに上下片１２の上下に補助片１３が折りたたみ線Ｃ２を介して連続して設けられ、上記主片１１の両サイドに同じ幅の左右片１４が折りたたみ線Ｃ３を介して連続して設けられている。
【００２２】
上下片１２の両サイドには、カバーフラップ２８が折りたたみ線Ｃ６を介して連続して設けられ、このカバーフラップ２８は上下片１２に折りたたみ線Ｃ６を介して繋がり、カバーフラップ２８とその基部２８ａとの境には折りたたみ線Ｃ７が設けられ、左右片１４とカバーフラップ２８の基部２８ａとの境には切り込み１９が入って絶縁されている。
【００２３】
カバーフラップ２８と補助片１３との境には、補助片１３側には食い込む連続した切り込み３０が入れられ、カバーフラップの食い込み部分の境目に折りたたみ線Ｃ８が設けられ、カバーフラップ２８の折りかえし片２８ｂは折りたたみ線Ｃ８でもって折りかえされる。
【００２４】
主片１１には上下二列で、左右等間隔の凹凸形の切り込み１８が入り、その切り込み１８の両端から連続してハ字状切り込み２１と臼状切り込み２２を向かい合うように入れて切り起こし片２１ｆ，２２ｆとし、切り起こし片２１ｆは折りたたみ線でもって主片１１と、切り起こし片２２ｆは折りたたみ線Ｃ１でもって上下片１２と繋がっている。
【００２５】
補助片１３には、上記凹凸形の切り込み１８の位置に対応してボトルＢの首部環状リブ２３に引っ掛かる馬蹄形状の貫通孔２４が開けられ、この馬蹄形状の貫通孔２４の中間で補助片１３の端縁に半円形の刳り抜き２６が向かい合わせて設けられている。なお、上記貫通孔２４を馬蹄形としたが円形、長円形あるいは角形の貫通孔とすることもできる。本実施例のその他の部分は、第１実施例においてサイドフラップ１６と上下片１２の対向面を接着したのに代えて、基部２８ａと左右片１４の対向面および折りかえし片２８ｂと上下片１２の対向面をそれぞれ両面粘着テープ２５で接着した以外は、第１実施例と同様であるので、説明を省略する。
【００２６】
この実施例では、前記第１、第２実施例に比べて作用効果は大して低下しないにも拘わらず素材の大幅な節約が可能になっている。
【産業上の利用可能性】
【００２７】
以上説明した如くこの発明によれば、全体構造の強度が高くなって、どちらの方向からの力、衝撃的な力にも十分耐えることができ、安心して段積みをすることができる。
【図面の簡単な説明】
【００２８】
【図１】（ａ）第１実施例の箱起こし状態の斜視図、（ｂ）同展開図
【図２】（ａ）第１実施例の簡易包装体でボトルを包装した状態の斜視図、（ｂ）図２（ａ）のｂ−ｂ方向断面図
【図３】第１実施例で包装したボトルの段積み状態図
【図４】（ａ）第２実施例の箱起こし状態の斜視図、（ｂ）同展開図
【図５】（ａ）第３実施例の箱起こし状態の斜視図、（ｂ）同展開図
【符号の説明】
【００２９】
１０  簡易包装体
１１  主片
１２  上下片
１３  補助片
１４  左右片
１５  蓋フラップ
１６  サイドフラップ
１７  内フラップ
１８  凹凸形の切り込み
１９  切り込み
２０  ブランク
２１  ハ字状切り込み
２１ｆ，２２ｆ  切り起こし片
２２  臼状切り込み
２３  （ボトルの首部）環状リブ
２４  貫通孔
２５  両面接着テープ
２６  刳り抜き
２７  刳り抜き（蓋フラップの）
２８  カバーフラップ
２８ａ  （カバーフラップの）基部
２８ｂ  （カバーフラップの）折りかえし片
Ｂ  ボトル
Ｃ１，Ｃ２，Ｃ３，Ｃ４，Ｃ５，Ｃ６，Ｃ７，Ｃ８  折りたたみ線
Ｓ  首部
【図１】
2006282210.tif 000003
【図２】
2006282210.tif 000004
【図３】
2006282210.tif 000005
【図４】
2006282210.tif 000006
【図５】
2006282210.tif 000007
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
主片（１１）と、この主片に折りたたみ線を介して連続して設けた上下片（１２）と、上記主片に折りたたみ線を介して連続して設けた左右片（１４）と、この左右片に折りたたみ線を介して連続して設けた蓋フラップ（１５）とからなり、上記主片にボトル（Ｂ）の首部に引っ掛かる切り起こし片（２１ｆ，２２ｆ）を形成した簡易包装体（１０）において、上記上下片に折りたたみ線を介して補助片（１３）を連続して設け、この補助片の上記切り起こし片に対応する位置に上記ボトルの首部に引っ掛かる貫通孔（２４）を設けたことを特徴とする簡易包装体。
【請求項２】
上記貫通孔を馬蹄形とし、馬蹄形の直線部分がボトルの首部に引っ掛かるようにしたことを特徴とする請求項１に記載の簡易包装体。
【請求項３】
上記切り起こし片は、主片に凹凸形の切り込みを入れ、この切り込みの両端から連続してハ字状と臼状の切り込みを入れ、折りたたみ線を介して主片あるいは上下片に繋がり、上記蓋フラップの上下に折りたたみ線を介してサイドフラップ（１６）を連続して設け、このサイドフラップと上記上下片が対向する面を接着させたことを特徴とする請求項１または２に記載の簡易包装体。
【請求項４】
主片（１１）と、この主片に折りたたみ線を介して連続して設けた上下片（１２）と、上記主片に折りたたみ線を介して連続して設けた左右片（１４）とからなり、上記主片にボトル（Ｂ）の首部に引っ掛かる切り起こし片（２１ｆ，２２ｆ）を形成した簡易包装体（１０）において、上記上下片に折りたたみ線を介して補助片（１３）を連続して設け、この補助片の上記切り起こし片に対応する位置に上記ボトルの首部に引っ掛かる貫通孔（２４）を設け、上下片の両サイドには、カバーフラップ（２８）を折りたたみ線（Ｃ６）を介して連続して設け、このカバーフラップは上下片に折りたたみ線を介して繋がり、カバーフラップとその基部（２８ａ）とは折りたたみ線（Ｃ７）を介して繋がり、左右片とカバーフラップの基部との境には切り込み（１９）を設け、カバーフラップと補助片（１３）との間には、補助片側には食い込む連続した切り込み（３０）が入れられ、カバーフラップの折りかえし片（２８ｂ）は折りたたみ線（Ｃ８）でもって折りかえされて、上下片と折りかえし片との対向面およびカバーフラップの基部と左右片との対向面を接着させたことを特徴とする簡易包装体。
【請求項５】
上記貫通孔を馬蹄形とし、馬蹄形の直線部分がボトルの首部に引っ掛かるようにしたことを特徴とする請求項４に記載の簡易包装体。